(57)【要約】【課題】  玉の潤滑に必要な適正量の潤滑剤を安定して供給することにより、潤滑性能を向上させて、玉軸受を長寿命化することができる玉軸受用保持器を提供する。【解決手段】  本発明の玉軸受用保持器５は、ポケット５ｂの内面に、ポケット５ｂの内径側周縁部５ｆと外径側周縁部５ｇの一方から他方に向かって延び、玉４の自転軸Ａに対する赤道部１０が通過する凹部５ｅが設けられている。凹部５ｅは、ポケット５ｂの中心Ｏ１とポケット５ｂのピッチ円直径ＰＣＤの中心Ｏ２を結ぶ軸Ｅと平行で、且つ、複数のポケット５ｂの中心Ｏ１を結ぶピッチ円Ｐを通過する中心軸Ｂを持った円筒面ＣＹによって構成されている。凹部５ｅの軸方向幅は、ポケット５ｂの内径側周縁部５ｆと外径側周縁部５ｇの一方で最も広く、ポケット５ｂの中央に向かって減少されており、且つポケット内径側周縁部５ｆと外径側周縁部５ｇの一方での凹部５ｅの軸方向幅Ｈは、最小値Ｈｍｉｎと最大値Ｈｍａｘが規定されている。【選択図】        図１
2006071016.tif 000002
【特許請求の範囲】
【請求項１】
複数の玉を転動自在に保持する複数のポケットが円周方向に亘って形成された環状の玉軸受用保持器であって、
前記ポケットの内面には、前記ポケットの内径側周縁部と外径側周縁部の一方から他方に向かって延び、前記玉の自転軸に対する赤道部が通過する凹部が設けられ、
前記凹部は、前記ポケットの中心と前記ポケットのピッチ円直径の中心を結ぶ軸と平行で、且つ、前記複数のポケットの中心を結ぶピッチ円を通過する中心軸を持った円筒面又は円錐面によって構成され、
前記凹部の軸方向幅は、前記ポケットの内径側周縁部と外径側周縁部の前記一方で最も広く、前記ポケットの中央に向かって減少され、
前記ポケットの前記内径側周縁部と外径側周縁部の前記一方での前記凹部の軸方向幅Ｈの最小値Ｈｍｉｎは、
Ｈｍｉｎ＝（Δｙ＋ＳＡＩ／２）×２
Δｙ＝Δａ×ｔａｎ  α
であり、ここで、Δａは前記ポケットのピッチ円直径と前記ポケットの内径側周縁部と外径側周縁部の前記一方の直径間の距離であり、Δｙは前記ポケットの内径側周縁部と外径側周縁部の前記一方と前記赤道部との交点から前記ポケットの中心までの軸方向距離であり、ＳＡＩは前記玉軸受の軌道輪と前記玉との接触楕円の長軸半径であり、αは前記玉の接触角であり、
前記凹部の軸方向幅Ｈの最大値Ｈｍａｘは、前記ポケットの入口円弧面と前記ポケットの内面を結ぶ稜線と前記ポケットの中心との軸方向距離の２倍であることを特徴とする玉軸受用保持器。
【発明の詳細な説明】
【技術分野】
【０００１】
本発明は、玉軸受用保持器に関し、より詳細には、ＨＤＤ（ハードディスクドライブ）のスピンドルモータやファンモータ等の各種電気機器の回転部分を支持するのに好適な玉軸受用保持器に関する。
【背景技術】
【０００２】
従来、ＨＤＤのスピンドルモータ、ファンモータ等の回転軸を支持する転がり軸受としては、一般的に深溝玉軸受が使用されている。このような深溝玉軸受には、内輪の外周面と外輪の内周面との間に、潤滑剤（グリース）を充填或いは連続的に供給して、円滑な相対回転を行い、玉軸受の振動や騒音が生じないようにすると共に、焼き付き等の故障を防止している。
【０００３】
潤滑剤は、玉の自転に伴い、内輪と外輪の軌道面間を移動すると共に、保持器のポケット内面を通過する。この際、玉の転動面と保持器のポケット内面との隙間が狭くなると、玉に付着した潤滑剤が玉の回動に伴ってポケットの開口縁部で掻き取られてしまい、玉と軌道面間の接触部への潤滑剤の供給量が減少してしまう。
【０００４】
このため、ポケット内面で潤滑剤が掻き取られるのを防止した保持器が種々提案されている（例えば、特許文献１及び２参照。）。図５に示すように、特許文献１に記載された保持器１００では、ポケット内面１０１に保持器１００の内径面から外径面まで貫通する溝１０２を設けたものが提案されている。 また、図６に示すように、特許文献２に記載の保持器１１０では、ポケット内面１１１を多角形断面形状としたものも知られている。
【０００５】
特許文献１及び特許文献２に開示されている保持器１００，１１０は、いずれも玉を転動自在に保持するポケット内面１０１，１１１に保持器１００，１１０の内径面から外径面まで貫通する溝を設けることにより、潤滑剤がポケットの開口縁部で掻き取られるのを抑制して、より多くの潤滑剤をポケット内を通過させて玉の転動面に供給するようにしたものである。
【特許文献１】特開２００１−２８０３５２号公報
【特許文献２】ＵＳＰ４２２５１９９号公報
【発明の開示】
【発明が解決しようとする課題】
【０００６】
ところで、特許文献１及び２に記載の保持器では、玉の転動面に多量の潤滑剤を供給することが可能となり、潤滑剤の不足は解消されるもの、多くの潤滑剤が供給されることによる回転トルクの上昇や、潤滑剤の攪拌に伴う攪拌熱が発生する問題があった。また、玉に付着した潤滑剤がそのまま転動面に供給されるので、供給される潤滑剤の量が不規則に変動してトルクの回転非同期成分の振れ（以下、ＮＲＲＯ：Ｎｏｎ  Ｒｅｐｒｅａｔｉｔｉｖｅ  Ｒｕｎ  Ｏｕｔとする）を誘起する一因となる。ＮＲＲＯは、ＨＤＤの高密度化に密接に関係しており、その低減は不可欠である。
【０００７】
本発明は、前述した課題に鑑みてなされたものであり、その目的は、玉の潤滑に必要な適正量の潤滑剤を転動面に安定して供給することにより、潤滑性能を向上させて玉軸受を長寿命化することができる玉軸受用保持器を提供することにある。
【課題を解決するための手段】
【０００８】
本発明の上記目的は、下記の構成により達成される。
複数の玉を転動自在に保持する複数のポケットが円周方向に亘って形成された環状の玉軸受用保持器であって、
前記ポケットの内面には、前記ポケットの内径側周縁部と外径側周縁部の一方から他方に向かって延び、前記玉の自転軸に対する赤道部が通過する凹部が設けられ、
前記凹部は、前記ポケットの中心と前記ポケットのピッチ円直径の中心を結ぶ軸と平行で、且つ、前記複数のポケットの中心を結ぶピッチ円を通過する中心軸を持った円筒面又は円錐面によって構成され、
前記凹部の軸方向幅は、前記ポケットの内径側周縁部と外径側周縁部の前記一方で最も広く、前記ポケットの中央に向かって減少され、
前記ポケットの前記内径側周縁部と外径側周縁部の前記一方での前記凹部の軸方向幅Ｈの最小値Ｈｍｉｎは、
Ｈｍｉｎ＝（Δｙ＋ＳＡＩ／２）×２
Δｙ＝Δａ×ｔａｎ  α
であり、ここで、Δａは前記ポケットのピッチ円直径と前記ポケットの内径側周縁部と外径側周縁部の前記一方の直径間の距離であり、Δｙは前記ポケットの内径側周縁部と外径側周縁部の前記一方と前記赤道部との交点から前記ポケットの中心までの軸方向距離であり、ＳＡＩは前記玉軸受の軌道輪と前記玉との接触楕円の長軸半径であり、αは前記玉の接触角であり、
前記凹部の軸方向幅Ｈの最大値Ｈｍａｘは、前記ポケットの入口円弧面と前記ポケットの内面を結ぶ稜線と前記ポケットの中心との軸方向距離の２倍であることを特徴とする玉軸受用保持器。
なお、赤道部とは、玉の自転軸を中心とする直径が最大の部分とする。
【発明の効果】
【０００９】
本発明の玉軸受用保持器によれば、ポケットの内面には、ポケットの内径側周縁部と外径側周縁部の一方から他方に向かって延び、玉の自転軸に対する赤道部が通過する凹部が設けられているので、玉が回転したとき、玉に付着した潤滑剤はポケットの縁部で掻き取られることなく、凹部からポケット内に供給される。また、凹部は、ポケットの中心とポケットのピッチ円直径の中心を結ぶ軸と平行で、且つ、前記複数のポケットの中心を結ぶピッチ円を通過する中心軸を持った円筒面又は円錐面によって構成され、凹部の軸方向幅は、ポケットの内径側周縁部と外径側周縁部の一方で最も広く、ポケットの中央に向かって減少されるようにしたので、凹部からポケット内に供給された潤滑剤は、ポケット内部で次第に掻き取られ、ポケット内に潤滑剤溜りを形成し、潤滑剤溜りが飽和すると余剰の潤滑剤は玉表面に付着して転動面に供給される。従って、玉の潤滑に必要な適正量の潤滑剤を安定して転動面に供給することができる。
【００１０】
即ち、転動面に供給される潤滑剤の量は、常に潤滑に必要な一定の適正量であり、多量の潤滑剤が供給されることによる潤滑剤の攪拌熱の発生が防止されると共に、回転トルクを小さくすることができる。また、転動面に供給される潤滑剤の量は、一定量で安定しているので、供給量の変動に伴って発生するＮＲＲＯが抑制され、安定した回転が得られる。またこれによって、ハードディスクドライブの高密度化が可能となる。
【００１１】
更に、ポケット内径側周縁部と外径側周縁部の一方での凹部の軸方向幅Ｈの最小値Ｈｍｉｎは、Ｈｍｉｎ＝（Δｙ＋ＳＡＩ／２）×２としたので、ポケットの周縁部による潤滑剤の掻取りが確実に防止されてポケット内に潤滑剤を十分に取り込むことができる。従って、適正量の潤滑剤を転動面に供給して潤滑性能を向上させることができる。また、凹部の軸方向幅Ｈの最大値Ｈｍａｘは、前記ポケットの入口円弧面と前記ポケットの内面を結ぶ稜線と前記ポケットの中心との軸方向距離の２倍であるので、ポケットの内径側周縁部と外径側周縁部の一方と交差する凹部の上端部がポケットの入口円弧面とポケットの内径を結ぶ稜線よりも内側に位置し、玉とポケットとの隙間が過剰に大きくならず、ポケットによって玉を確実に案内することができる。従って、玉に対する保持器の動き量が大きくなることに起因する保持器音の発生が防止され、玉軸受の静粛な回転が可能となる。
【００１２】
ここで、Δｙ＝Δａ×ｔａｎα  であり、Δａはポケットのピッチ円直径とポケットの内径側周縁部と外径側周縁部の一方の直径間の距離、Δｙはポケットの内径側周縁部と外径側周縁部の一方と赤道部との交点からポケットの中心までの軸方向距離、ＳＡＩは玉軸受の軌道輪と玉との接触楕円の長軸半径、αは玉の接触角である。
【発明を実施するための最良の形態】
【００１３】
以下、本発明に係る玉軸受用保持器の実施形態を図面に基づいて詳細に説明する。
【００１４】
図１は本実施形態の玉軸受用保持器が組み込まれた玉軸受の縦断面図、図２は玉軸受用保持器の要部斜視図、図３は玉軸受用保持器の要部側面図、図４は図３におけるＩＶ−ＩＶ線に沿った横断面図である。
【００１５】
図１に示す玉軸受１は、外輪２と、内輪３と、転動体である複数の玉４と、玉４を転動自在に保持する玉軸受用保持器５と、シール部材６と、を備えている。外輪２の内周面および内輪３の外周面には、それぞれ外輪軌道面２ａ、内輪軌道面３ａが形成されており、外輪軌道面２ａと内輪軌道面３ａとの間に、玉軸受用保持器５の複数のポケット５ｂにそれぞれ転動自在に保持された複数の玉４が回動自在に配設されて、所謂、深溝玉軸受が構成されている。
【００１６】
外輪軌道面２ａおよび内輪軌道面３ａは、玉４より僅かに大きな曲率半径を有する断面形状円弧状の円周溝で形成されている。シール部材６は、外輪２と内輪３との間の両側面を覆うようにして外輪２に固着されており、外輪２、内輪３間に形成される環状空間８を密封し、環状空間８内に封入されたグリース等の潤滑剤の漏れを防止すると共に外部からの塵埃等の侵入を防止している。外輪２および内輪３には、互いに異なる軸方向から予圧が付与されており、接触角αで玉４は外輪軌道面２ａ及び内輪軌道面３ａと接触する。
【００１７】
図２から図４に示されるように、玉軸受用保持器５は、合成樹脂を射出成形することで形成された、所謂冠形保持器であり、リング状の本体部５ａと、本体部５ａの一方の側面に円周方向に亘って等間隔で形成された複数のポケット５ｂとを具備している。ポケット５ｂは、本体部５ａに互いに間隔を設けて配置された一対の弾性片５ｃと、本体部５ａの軸方向片面でこの一対の弾性片５ｃの間部分に設けられた球面状の凹面部５ｄと、から形成されている。ポケット５ｂの内面は、その全体が玉４の転動面の曲率半径より僅かに大きな曲率半径を有する球状凹面となっており、各ポケット５ｂには、それぞれ１個ずつ玉４が転動自在に保持される。また、一対の弾性片５ｃは、その先端側において互いに対向し、単一の円によって形成される一対の入口円弧面５ｉを形成している。
【００１８】
それぞれのポケット５ｂには、内面に一対の凹部５ｅが形成されている。凹部５ｅは、一対の弾性片５ｃの内面側に形成され、ポケット５ｂの内径側周縁部５ｆと外径側周縁部５ｇの一方（本実施形態においては内径側周縁部５ｆ）から他方に向かって延び、玉４の自転軸Ａを中心とする直径が最大の部分（以下、赤道部と称す）１０が通過するように形成されている（図１参照）。また、図３および図４に示すように、凹部５ｅの形状は、ポケット５ｂの中心Ｏ１とポケット５ｂのピッチ円直径ＰＣＤの中心Ｏ２を結ぶ軸Ｅと平行な中心軸Ｂを持った円筒面ＣＹの一部として構成されている。凹部５ｅの軸方向幅は、ポケット５ｂの内径側周縁部５ｆと外径側周縁部５ｇの一方（本実施形態においては内径側周縁部５ｆ）で最も広く、ポケット５ｂの中央に向かって次第に減少するように形成されている。
【００１９】
なお、本実施形態では、円筒面ＣＹの中心軸Ｂは、各ポケット５ｂの中心Ｏ１を結ぶピッチ円Ｐを通過しており、凹部５ｅはピッチ円Ｐに対して線対称に形成されている。これにより、ポケット５ｂの内径側周縁部５ｆと外径側周縁部５ｇの一方（本実施形態においては内径側周縁部５ｆ）での凹部５ｅの軸方向幅Ｈは、周縁部５ｆ、５ｇの一方と交差する凹部５ｅの上端部５ｊとピッチ円Ｐとの距離の２倍となる。
【００２０】
また、図１に示すように、ポケット５ｂの内径側周縁部５ｆと外径側周縁部５ｇの一方（本実施形態においては内径側周縁部５ｆ）での凹部５ｅの軸方向幅Ｈの最小値Ｈｍｉｎは、
Ｈｍｉｎ＝（Δｙ＋ＳＡＩ／２）×２
となっている。ここで、Δｙ＝Δａ×ｔａｎα  であり、Δａはポケット５ｂのピッチ円直径ＰＣＤとポケット５ｂの内径側周縁部５ｆと外径側周縁部５ｇの一方（本実施形態においては内径側周縁部５ｆ）の直径間の距離であり、Δｙはポケット５ｂの内径側周縁部５ｆと外径側周縁部５ｇの一方（本実施形態においては内径側周縁部５ｆ）と赤道部１０との交点Ｄからポケット５ｂの中心までの軸方向距離であり、ＳＡＩは玉軸受１の軌道輪（本実施形態においては内輪３）と玉４との接触楕円Ｆの長軸半径であり、αは玉４の接触角である。
【００２１】
また、図２に示すように、凹部５ｅの軸方向幅Ｈの最大値Ｈｍａｘは、ポケット５ｂの内径側周縁部５ｆと外径側周縁部５ｇの一方（本実施形態においては内径側周縁部５ｆ）と交差する凹部５ｅの上端部５ｊがポケット５ｂの入口円弧面５ｉとポケット５ｂの内面を結ぶ稜線５ｈよりも内側（本体部５ａ側）に位置するようにして与えられることから、ポケット５ｂの入口円弧面５ｉとポケット５ｂの内面を結ぶ稜線５ｈとポケット５ｂの中心との軸方向距離の２倍となる。
【００２２】
このように構成された玉軸受用保持器５が組み込まれた玉軸受１は、図１に示すように、外輪２と内輪３とが相対的に回転すると、玉４はポケット５ｂ内で自転軸Ａを中心として矢印Ｘ方向（図４参照）に自転しながら外輪軌道面２ａ、内輪軌道面３ａ間を公転する。このとき、玉軸受用保持器５は、玉４の転動面に押されて玉４の公転速度と同じ速度で内輪３の周囲を回転する。即ち、玉４の負荷圏においては、玉４の転動面がポケット５ｂの前面（玉軸受用保持器５の公転方向前方の面）を押圧し、また玉４の無負荷圏においては、玉４がポケット５ｂの後面（玉軸受用保持器５の公転方向後方の面）によって押圧されて玉軸受用保持器５が公転する。
【００２３】
図４に示すように、玉４の矢印Ｘ方向への自転に伴って、玉４の表面に付着した潤滑剤は、ポケット５ｂの内面と玉４との隙間Ｃに入り込もうとする。ポケット５ｂの内面には、内径側周縁部５ｆと外径側周縁部５ｇの一方（本実施形態においては内径側周縁部５ｆ）から他方に向かって延びる凹部５ｅが形成され、玉４の自転軸Ａに対する赤道部１０が通過するようにしたので、潤滑剤がポケット５ｂの縁部で掻き取られることはなく、効率よく凹部５ｅに入り込む。
【００２４】
従って、凹部５ｅには、十分な量の潤滑剤が取り込まれる。このとき、凹部５ｅの軸方向幅は、ポケット５ｂの内径側周縁部５ｆと外径側周縁部５ｇの一方（本実施形態においては内径側周縁部５ｆ）で最も広く、ポケット５ｂの中央に向かって減少するように形成されているので、凹部５ｅ内に侵入した潤滑剤は次第に絞られ、ポケット５ｂの内面と玉４との間に潤滑剤溜りが形成される。即ち、凹部５ｅ内に侵入した潤滑剤は、軸方向幅Ｈが狭められた凹部５ｅの先端部（略玉４の中央部）近傍に集められ、凹部５ｅに収容できなくなった潤滑剤は凹部５ｅから押し出されて圧力が上昇し、玉４とポケット５ｂの内面との間に動圧が発生する。動圧の大きさは、潤滑剤の粘度が一定であれば玉４の回転速度に比例する。
【００２５】
玉軸受用保持器５は、玉４とポケット５ｂの内面との間に発生する潤滑剤の圧力によって公転方向前方に押圧され、ポケット５ｂの内面と玉４との間に隙間Ｃが形成される。凹部５ｅに発生する動圧の大きさは、玉４の自転速度、即ち玉軸受１の回転速度に比例するので、玉軸受１の回転が速くなるに従って動圧が大きくなり、隙間Ｃも大きくなる。そして、凹部５ｅに収容できなくなった余剰の潤滑剤は、玉４に付着して隙間Ｃから玉４の転動面に供給される。このとき、隙間Ｃは、玉軸受１の回転速度に比例するので、多くの潤滑剤を必要とする高速回転時には、大きな隙間Ｃから多くの潤滑剤が、また少量の潤滑剤で潤滑が可能な低速回転時には、小さな隙間Ｃから少量の潤滑剤が転動面に供給されることとなって、常に適正量の潤滑剤が転動面に供給される。
【００２６】
また、玉軸受１の回転速度が一定であれば隙間Ｃも一定であり、転動面に供給される潤滑剤の量が変動することはなく、常に一定量の潤滑剤が安定して転動面に供給される。換言すれば、潤滑剤の供給量の変動に伴って生じるＮＲＲＯは極めて小さくなる。また、多量の潤滑剤を攪拌することによる攪拌熱の発生が阻止されると共に、必要量の潤滑剤で潤滑するので回転トルクを低減することができる。更に、ポケット５ｂの内面と玉４との隙間Ｃに潤滑剤を長時間に亘って保持するので、玉軸受用保持器５と玉４との接触部が確実に潤滑され、保持器音の発生が防止される。
【００２７】
また、図１に示されるように、玉軸受１の回転中には、玉４の自転軸Ａに対する赤道部１０の両側に潤滑剤が多く付着する。一方、凹部５ｅの軸方向幅Ｈの最小値Ｈｍｉｎは、Ｈｍｉｎ＝（Δｙ＋ＳＡＩ／２）×２となっており、赤道部１０および軌道輪と玉４との接触楕円Ｆを含んで形成されるので、潤滑剤が効率よく凹部５ｅ内に導入され、従って、潤滑剤は玉４の転動面に確実に供給される。また、図２を参照して、凹部５ｅの軸方向幅Ｈの最大値Ｈｍａｘはポケット５ｂの入口円弧面５ｉとポケット５ｂの内面を結ぶ稜線５ｈとポケット５ｂの中心との軸方向距離の２倍であるので、凹部５ｅのポケット入口側の上端部５ｊは、ポケット５ｂの入口円弧面５ｉとポケット５ｂの内面を結ぶ稜線５ｈよりも内側に位置し、玉４はポケット５ｂの先端部（上端部５ｊよりポケット入口側のポケット内面）と接触し、玉軸受用保持器５の動きが確実に抑制される。従って、保持器音の発生もない。また、凹部５ｅは、玉軸受用保持器５を射出成形する際に、金型によって同時に製作することができるので、製造コストの上昇はなく、安価に製作できる。
【００２８】
本実施形態の玉軸受用保持器によれば、ポケット５ｂの内面には、ポケット５ｂの内径側周縁部５ｆと外径側周縁部５ｇの一方から他方に向かって延び、玉４の自転軸Ａに対する赤道部１０が通過する凹部５ｅが設けられているので、玉４が回転したとき、玉４に付着した潤滑剤はポケット５ｂの開口縁部で掻き取られることなく、凹部５ｅからポケット５ｂ内に供給される。また、凹部５ｅは、ポケット５ｂの中心Ｏ１とポケット５ｂのピッチ円直径ＰＣＤの中心Ｏ２を結ぶ軸Ｅと平行で、且つ、前記複数のポケット５の中心Ｏ１を結ぶピッチ円Ｐを通過する中心軸Ｂを持った円筒面ＣＹの一部として形成され、凹部５ｅの軸方向幅Ｈは、ポケット５ｂの内径側周縁部５ｆと外径側周縁部５ｇの一方で最も広く、ポケット５ｂの中央に向かって減少されるようにしたので、凹部５ｅからポケット５ｂ内に供給された潤滑剤は、ポケット５ｂ内部で次第に掻き取られ、ポケット５ｂ内に潤滑剤溜りを形成し、潤滑剤溜りが飽和すると余剰の潤滑剤は玉４の表面に付着して転動面に供給される。従って、玉４の潤滑に必要な適正量の潤滑剤を安定して転動面に供給することができる。
【００２９】
即ち、転動面に供給される潤滑剤の量は、常に潤滑に必要な一定の適正量であり、多量の潤滑剤が供給されることによる潤滑剤の攪拌熱の発生が防止されると共に、回転トルクを小さくすることができる。また、転動面に供給される潤滑剤の量は、一定量で安定しているので、供給量の変動に伴って発生するＮＲＲＯが抑制され、安定した回転が得られる。またこれによって、ハードディスクドライブの高密度化が可能となる。
【００３０】
更に、ポケット内径側周縁部５ｆと外径側周縁部５ｇの一方での凹部５ｅの軸方向幅Ｈの最小値Ｈｍｉｎは、
Ｈｍｉｎ＝（Δｙ＋ＳＡＩ／２）×２  
としたので、凹部５ｅは赤道部１０と、玉４と軌道輪との接触楕円、を含んで形成されており、ポケット５ｂの縁部による潤滑剤の掻取りが確実に防止されてポケット５ｂ内に潤滑剤を十分に取り込むことができる。従って、適正量の潤滑剤を転動面に供給して潤滑性能を向上させることができる。また、凹部５ｅの軸方向幅Ｈの最大値Ｈｍａｘは、ポケット５ｂの入口円弧面５ｉとポケット５ｂの内面を結ぶ稜線５ｈとポケット５ｂの中心との軸方向距離の２倍であるので、玉４とポケット５ｂとの隙間Ｃが過剰に大きくならず、ポケット５ｂによって玉４を確実に案内することができる。従って、玉４に対する保持器５の動き量が大きくなることに起因する保持器音の発生が防止され、玉軸受１の静粛な回転が可能となる。
【実施例】
【００３１】
本発明の合成樹脂製保持器は、呼び番号６０８（内径８ｍｍ、外径２２ｍｍ，幅７ｍｍ）の小径玉軸受に適用できる。なお、ラジアル隙間２０μｍ、外輪溝半径５６％、内輪溝半径５１％、予圧荷重５ｋｇｆとした場合、Δａ＝０．８ｍｍ、α＝１６．４６°、Δｙ＝Δａ×ｔａｎα＝０．２４ｍｍ、ＳＡＩ＝０．３５２ｍｍであり、凹部の軸方向幅Ｈの最小値Ｈｍｉｎは、Ｈｍｉｎ＝（Δｙ＋ＳＡＩ／２）×２＝０．８３２ｍｍに設定される。
【００３２】
尚、本発明は、前述した実施形態に限定されるものではなく、適宜、変形、改良、等が可能である。
本実施形態においては、ポケットの入口円弧面は厚みを有するが、入口円弧面は厚みをなくしてポケットの入口円弧面と内面を結ぶ稜線と一致する構成であってもよい。
また、凹部は保持器の内径側周縁部から外径側周縁部に向かって形成されたものとして説明したが、これと逆に保持器の外径側周縁部から内径側周縁部に向かって形成するようにしてもよく、また保持器の内径側周縁部および外径側周縁部の両方から中央に向かって形成するようにしてもよい。
【００３３】
さらに、本実施形態では、凹部を構成する円筒面について説明したが、凹部はポケットの中心とポケットのピッチ円直径の中心を結ぶ軸と平行で、且つ、複数のポケットの中心を結ぶピッチ円を通過する中心軸を持った円錐面によって構成されてもよく、この場合、凹部はポケットの中央から外径側周縁部に向かって拡がるように形成される。
【図面の簡単な説明】
【００３４】
【図１】本発明の玉軸受用保持器が組み込まれた玉軸受の縦断面図である。
【図２】玉軸受用保持器の要部斜視図である。
【図３】玉軸受用保持器の要部側面図である。
【図４】図３におけるＩＶ−ＩＶ矢視横断面図である。
【図５】従来の玉軸受用保持器の斜視図である。
【図６】従来の他の玉軸受用保持器の斜視図である。
【符号の説明】
【００３５】
１        玉軸受
４        玉
５        玉軸受用保持器
５ｂ      ポケット
５ｅ      凹部
５ｈ      稜線
１０      赤道部
Ａ        玉の自転軸
Ｅ        ポケットの中心とポケットのピッチ円直径の中心を結ぶ軸
Ｈ        ポケットの内径側周縁部と外径側周縁部の一方での凹部の軸方向幅
ＳＡＩ    玉軸受の軌道輪と玉との接触楕円の長軸半径
Δａ      玉のピッチ円直径とポケットの内径側周縁部と外径側周縁部の一方の直径間の距離
Δｙ      ポケットの内径側周縁部と外径側周縁部の一方と赤道部との交点からポケットの中心までの軸方向距離
α        玉の接触角
【図１】
2006071016.tif 000003
【図２】
2006071016.tif 000004
【図３】
2006071016.tif 000005
【図４】
2006071016.tif 000006
【図５】
2006071016.tif 000007
【図６】
2006071016.tif 000008